(57)【要約】態様は、超広帯域無線ネットワークにおいて通信するための方法および装置を含む。例えば、いくつかの態様は、無線通信の方法を含んでいる。方法は、第２の電子デバイスの少なくとも１つのリソースを識別する情報を受信すること（６０２）、電子デバイスのリソース情報を送信して、電子デバイスのリソース情報と、第２の電子デバイスの受信されたリソース情報を比較すること（６０６）、を含むことができる。方法は、さらに、比較に基づいて第２のデバイスに同期信号を送信すること（６０８）、を含むことができる。方法は、さらに、比較に基づいて第２のデバイスから同期信号を受信すること、を含むことができる。他の態様は、無線通信のための装置およびデバイスを含んでいる。
2009535934.tif 000002
【特許請求の範囲】
【請求項１】
第２の電子デバイスの少なくとも１つのリソースを識別する情報を、第１の電子デバイスにおいて、受信することと、
前記第１の電子デバイスのリソース情報と、前記第２の電子デバイスの前記の受信されたリソース情報とを比較することと、
前記の比較に基づいて前記第２の電子デバイスに同期信号を送信することと、
を備える無線通信の方法。
【請求項２】
前記第２の電子デバイスに、前記第１の電子デバイスの前記リソース情報を送信すること、をさらに備える請求項１に記載の方法。
【請求項３】
前記第２の電子デバイスに、前記第１のデバイスの前記リソース情報を周期的に送信すること、をさらに備える請求項１に記載の方法。
【請求項４】
前記同期信号は、前記の比較が、前記第１の電子デバイスは、前記第２の電子デバイスよりも、より少ないあるいはより多い少なくとも１つのリソースを有するということ、を示す場合、送信される、請求項１に記載の方法。
【請求項５】
前記同期信号は、ビーコン信号を備えている、請求項１に記載の方法。
【請求項６】
前記第１および第２のデバイスのそれぞれの前記リソース情報は、電力リソース情報を備えている、請求項１に記載の方法。
【請求項７】
前記第１および第２のデバイスのそれぞれの前記リソース情報は、処理リソース情報を備えている、請求項１に記載の方法。
【請求項８】
前記同期信号は、少なくとも１つのタイミングパラメータを備えている、請求項１に記載の方法。
【請求項９】
前記の送信された同期信号に応じて、前記第２のデバイスから送信されたデータを受信すること、をさらに備える請求項１に記載の方法。
【請求項１０】
前記データは、少なくとも１つのタイミングパラメータを備えている、請求項９に記載の方法。
【請求項１１】
別のデバイスからのペアリングメッセージに応じて、前記第１のデバイスの前記リソース情報を送信すること、をさらに備える請求項１に記載の方法。
【請求項１２】
同期信号、前記の送信された信号は、少なくとも１つのパルスを備えている、請求項１に記載の方法。
【請求項１３】
前記少なくとも１つのパルスは、少なくとも約２０パーセントの部分的帯域幅を有しており、少なくとも約５００ＭＨｚの帯域幅を有しており、あるいは、少なくとも約２０パーセントの部分的帯域幅を有し且つ約５００ＭＨｚ以上の帯域幅を有している、請求項１２に記載の方法。
【請求項１４】
無線通信のための電子デバイスであって、
第２の電子デバイスの少なくとも１つのリソースを識別する情報を受信するように構成された受信機と、
前記電子デバイスのリソース情報と前記第２の電子デバイスの前記の受信されたリソース情報との比較を実行するように構成されたプロセッサと、
前記の比較に基づいて前記第２のデバイスに同期信号を送信するように構成された送信機と、
を備えている電子デバイス。
【請求項１５】
前記送信機は、前記第２の電子デバイスに、前記電子デバイスの前記リソース情報を送信するようにさらに構成される、請求項１４に記載のデバイス。
【請求項１６】
前記送信機は、前記第２の電子デバイスに、前記電子デバイスの前記リソース情報を周期的に送信するように構成される、請求項１４に記載のデバイス。
【請求項１７】
前記同期信号は、前記の比較が、前記電子デバイスは、前記第２の電子デバイスよりも、より少ないあるいはより多い少なくとも１つのリソースを有するということ、を示す場合、送信される、請求項１４に記載のデバイス。
【請求項１８】
前記同期信号は、ビーコン信号を備えている、請求項１４に記載のデバイス。
【請求項１９】
前記電子デバイスのおよび前記第２のデバイスのそれぞれの前記リソース情報は、電力リソース情報を備えている、請求項１４に記載のデバイス。
【請求項２０】
前記電子デバイスのおよび前記第２のデバイスのそれぞれの前記リソース情報は、処理リソース情報を備えている、請求項１４に記載のデバイス。
【請求項２１】
前記同期信号は、少なくとも１つのタイミングパラメータを備えている、請求項１４に記載のデバイス。
【請求項２２】
前記受信機は、前記の送信された同期信号に応じて、前記第２のデバイスから送信されたデータを受信するように構成される、請求項１４に記載のデバイス。
【請求項２３】
前記データは、少なくとも１つのタイミングパラメータを備えている、請求項２２に記載のデバイス。
【請求項２４】
前記送信機は、別のデバイスからのペアリングメッセージに応じて、前記電子デバイスの前記リソース情報を送信するように構成される、請求項１４に記載のデバイス。
【請求項２５】
前記の送信された同期信号は、少なくとも１つのパルスを備えている、請求項１４に記載のデバイス。
【請求項２６】
前記少なくとも１つのパルスは、少なくとも約２０パーセントの部分的帯域幅を有しており、少なくとも約５００ＭＨｚの帯域幅を有しており、あるいは、少なくとも約２０パーセントの部分的帯域幅を有し且つ約５００ＭＨｚ以上の帯域幅を有している、請求項２５に記載のデバイス。
【請求項２７】
第２の電子デバイスの少なくとも１つのリソースを識別する情報を受信するための手段と、
電子デバイスのリソース情報と、前記第２の電子デバイスの前記の受信されたリソース情報とを比較するための手段と、
前記の比較に基づいて前記第２のデバイスに同期信号を送信するための手段と、
を備える無線通信のための電子デバイス。
【請求項２８】
前記の送信する手段は、前記第２の電子デバイスに、前記電子デバイスの前記リソース情報を送信するようにさらに構成される、請求項２７に記載のデバイス。
【請求項２９】
前記の送信する手段は、前記第２の電子デバイスに、前記電子デバイスの前記リソース情報を周期的に送信するように構成される、請求項２７に記載のデバイス。
【請求項３０】
前記同期信号は、前記の比較が、前記電子デバイスは、前記第２の電子デバイスよりも、より少ないあるいはより多い少なくとも１つのリソースを有するということ、を示す場合、送信される、請求項２７に記載のデバイス。
【請求項３１】
前記同期信号は、ビーコン信号を備えている、請求項２７に記載のデバイス。
【請求項３２】
前記電子デバイスのおよび前記第２のデバイスのそれぞれの前記リソース情報は、電力リソース情報を備えている、請求項２７に記載のデバイス。
【請求項３３】
前記電子デバイスのおよび前記第２のデバイスのそれぞれの前記リソース情報は、処理リソース情報を備えている、請求項２７に記載のデバイス。
【請求項３４】
前記同期信号は、少なくとも１つのタイミングパラメータを備えている、請求項２７に記載のデバイス。
【請求項３５】
前記の受信する手段は、前記の送信された同期信号に応じて、前記第２のデバイスからデータを受信するように構成される、請求項２７に記載のデバイス。
【請求項３６】
前記データは、少なくとも１つのタイミングパラメータを備えている、請求項３５に記載のデバイス。
【請求項３７】
前記の送信する手段は、別のデバイスからのペアリングメッセージに応じて、前記電子デバイスの前記リソース情報を送信するように構成される、請求項２７に記載のデバイス。
【請求項３８】
前記の送信された同期信号は、少なくとも１つのパルスを備えている、請求項２７に記載のデバイス。
【請求項３９】
前記少なくとも１つのパルスは、少なくとも約２０パーセントの部分的帯域幅を有しており、少なくとも約５００ＭＨｚの帯域幅を有しており、あるいは、少なくとも約２０パーセントの部分的帯域幅を有し且つ約５００ＭＨｚ以上の帯域幅を有している、請求項３８に記載のデバイス。
【請求項４０】
無線通信のためのコンピュータプログラム製品であって、
第２の電子デバイスの少なくとも１つのリソースを識別する情報を、第１の電子デバイスにおいて、受信し、
前記第１の電子デバイスのリソース情報と、前記第２の電子デバイスの前記の受信されたリソース情報とを比較し、そして
前記の比較に基づいて前記第２のデバイスに同期信号を送信する、
ように、少なくとも１つのコンピュータによって実行可能なコードを備えているコンピュータ可読メディア、
を備えるコンピュータプログラム製品。
【請求項４１】
無線通信のためのヘッドセットであって、
検知されたデータを提供するように適合されたマイクロホンと；
電子デバイスの少なくとも１つのリソースを識別する情報を受信するように構成された受信機と；
前記ヘッドセットのリソース情報と前記電子デバイスの前記の受信されたリソース情報との比較を実行するように構成されたプロセッサと；
前記の比較に基づいて前記電子デバイスに同期信号を送信するように構成された送信機と、なお、前記送信機は、前記検知されたデータを送信するようにさらに構成される；
を備えているヘッドセット。
【請求項４２】
無線通信のためのメディカルデバイスであって、
検知されたデータを提供するように適合されたセンサと；
電子デバイスの少なくとも１つのリソースを識別する情報を受信するように構成された受信機と；
前記メディカルデバイスのリソース情報と前記電子デバイスの前記の受信されたリソース情報との比較を実行するように構成されたプロセッサと；
前記の比較に基づいて前記電子デバイスに同期信号を送信するように構成された送信機と、なお、前記送信機は、前記検知されたデータを送信するようにさらに構成される；
を備えているメディカルデバイス。
【請求項４３】
無線通信のための時計であって、
電子デバイスの少なくとも１つのリソースを識別する情報を受信するように構成された受信機と、
前記時計のリソース情報と前記電子デバイスの前記の受信されたリソース情報との比較を実行するように構成されたプロセッサと、
前記の比較に基づいて前記電子デバイスに同期信号を送信するように構成された送信機と、
前記受信機を介して受信されたデータに基づいて、ビジュアル出力を提供するように適合されたディスプレイと、
を備えている時計。
【請求項４４】
第２の電子デバイスの少なくとも１つのリソースを識別する情報を、第１の電子デバイスにおいて、受信することと、
前記第１の電子デバイスのリソース情報と、前記第２の電子デバイスの前記の受信されたリソース情報とを比較することと、
前記の比較に基づいて前記第２のデバイスから同期信号を受信することと、
を備える無線通信の方法。
【請求項４５】
前記の受信された同期信号から引き出された少なくとも１つの通信パラメータに基づいて、前記第２の電子デバイスに、データを送信すること、をさらに備える請求項４４に記載の方法。
【請求項４６】
前記データは、少なくとも１つのタイミングパラメータを備えている、請求項４５に記載の方法。
【請求項４７】
前記の比較は、前記第１の電子デバイスが前記第２の電子デバイスよりも、より少ないあるいはより多い少なくとも１つのリソースを有するかどうかを決定することを備えている、請求項４４に記載の方法。
【請求項４８】
前記同期信号は、ビーコン信号を備えている、請求項４４に記載の方法。
【請求項４９】
前記第１および第２のデバイスのそれぞれの前記リソース情報は、電力リソース情報を備えている、請求項４４に記載の方法。
【請求項５０】
前記第１および前記第２のデバイスのそれぞれの前記リソース情報は、処理リソース情報を備えている、請求項４４に記載の方法。
【請求項５１】
前記同期信号は、少なくとも１つのタイミングパラメータを受信することを備える、請求項４４に記載の方法。
【請求項５２】
前記第２のデバイスに、前記第１のデバイスの前記リソース情報を周期的に送信すること、をさらに備える請求項４４に記載の方法。
【請求項５３】
別のデバイスからのペアリングメッセージに応じて、前記第１のデバイスの前記リソース情報を送信すること、をさらに備える請求項４４に記載の方法。
【請求項５４】
前記信号は、少なくとも１つのパルスを備えている、請求項４４に記載の方法。
【請求項５５】
前記少なくとも１つのパルスは、少なくとも約２０パーセントの部分的帯域幅を有しており、少なくとも約５００ＭＨｚの帯域幅を有しており、あるいは、少なくとも約２０パーセントの部分的帯域幅を有し且つ約５００ＭＨｚ以上の帯域幅を有している、請求項５４に記載の方法。
【請求項５６】
無線通信のための電子デバイスであって、
第２の電子デバイスの少なくとも１つのリソースを識別する情報を受信するように構成された受信機と、
前記電子デバイスのリソース情報と前記第２の電子デバイスの前記の受信されたリソース情報との比較を実行するように構成されたプロセッサと、
を備えており、なお、前記受信機は、前記の比較に基づいて前記第２のデバイスから同期信号を受信するようにさらに構成される、
電子デバイス。
【請求項５７】
前記の受信された同期信号から引き出された通信パラメータに基づいて、前記第２の電子デバイスに、データを送信するように構成された送信機、をさらに備える請求項５６に記載のデバイス。
【請求項５８】
前記データは、少なくとも１つのタイミングパラメータを備えている、請求項５７に記載のデバイス。
【請求項５９】
前記の比較を実行することは、前記電子デバイスが前記第２の電子デバイスよりも、より少ないあるいはより多い少なくとも１つのリソースを有するかどうかを決定することを備えている、請求項５６記載のデバイス。
【請求項６０】
前記同期信号は、ビーコン信号を備えている、請求項５６に記載のデバイス。
【請求項６１】
前記電子デバイスおよび第２のデバイスのそれぞれの前記リソース情報は、電力リソース情報を備えている、請求項５６に記載のデバイス。
【請求項６２】
前記電子デバイスのおよび前記第２のデバイスのそれぞれの前記リソース情報は、処理リソース情報を備えている、請求項５６に記載のデバイス。
【請求項６３】
前記同期信号は、少なくとも１つのタイミングパラメータを備えている、請求項５６に記載のデバイス。
【請求項６４】
前記受信機は、前記第２のデバイスから、前記第２のデバイスの前記リソース情報を周期的に受信するように構成される、請求項５６に記載のデバイス。
【請求項６５】
前記受信機は、前記電子デバイスによって送信されるペアリングメッセージに応じて、前記第２のデバイスの前記リソース情報を受信するように構成される、請求項５６に記載のデバイス。
【請求項６６】
前記の受信された信号は、少なくとも１つのパルスを備えている、請求項５６に記載のデバイス。
【請求項６７】
前記少なくとも１つのパルスは、少なくとも約２０パーセントの部分的帯域幅を有しており、少なくとも約５００ＭＨｚの帯域幅を有しており、あるいは、少なくとも約２０パーセントの部分的帯域幅を有し且つ約５００ＭＨｚ以上の帯域幅を有している、請求項６６に記載のデバイス。
【請求項６８】
無線通信のための電子デバイスであって、
第２の電子デバイスの少なくとも１つのリソースを識別する情報を受信するための手段と、
前記電子デバイスのリソース情報と、前記第２の電子デバイスの前記の受信されたリソース情報とを比較するための手段と、
前記の比較に基づいて前記第２のデバイスから同期信号を受信するための手段と、
を備える電子デバイス。
【請求項６９】
前記の受信された同期信号から引き出された通信パラメータに基づいて、前記第２の電子デバイスに、データを送信するための手段、をさらに備える請求項６８に記載のデバイス。
【請求項７０】
前記データは、少なくとも１つのタイミングパラメータを備えている、請求項６９に記載のデバイス。
【請求項７１】
比較する手段は、前記電子デバイスが前記第２の電子デバイスよりも、より少ないあるいはより多い少なくとも１つのリソースを有するということを決定するように構成されている、請求項６８に記載のデバイス。
【請求項７２】
前記同期信号は、ビーコン信号を備えている、請求項６８に記載のデバイス。
【請求項７３】
前記電子デバイスおよび第２のデバイスのそれぞれの前記リソース情報は、電力リソース情報を備えている、請求項６８に記載のデバイス。
【請求項７４】
前記電子デバイスのおよび前記第２のデバイスのそれぞれの前記リソース情報は、処理リソース情報を備えている、請求項６８に記載のデバイス。
【請求項７５】
前記同期信号は、少なくとも１つのタイミングパラメータを備えている、請求項６８に記載のデバイス。
【請求項７６】
前記の受信する手段は、前記電子デバイスから、前記第２のデバイスの前記リソース情報を周期的に受信するように構成される、請求項６８に記載のデバイス。
【請求項７７】
前記の受信する手段は、前記電子デバイスによって送信されるペアリングメッセージに応じて、前記第２の前記リソース情報を受信するように構成される、請求項６８に記載のデバイス。
【請求項７８】
前記の受信された信号は、少なくとも１つのパルスを備えている、請求項６８に記載のデバイス。
【請求項７９】
前記少なくとも１つのパルスは、少なくとも約２０パーセントの部分的帯域幅を有しており、少なくとも約５００ＭＨｚの帯域幅を有しており、あるいは、少なくとも約２０パーセントの部分的帯域幅を有し且つ約５００ＭＨｚ以上の帯域幅を有している、請求項７８に記載のデバイス。
【請求項８０】
無線通信のためのコンピュータプログラム製品であって、
第２の電子デバイスの少なくとも１つのリソースを識別する情報を、第１の電子デバイスにおいて、受信し、
前記第１の電子デバイスのリソース情報と、前記第２の電子デバイスの前記の受信されたリソース情報とを比較し、そして
前記の比較に基づいて前記第２のデバイスから同期信号を受信する、
ように、少なくとも１つのコンピュータによって実行可能なコードを備えているコンピュータ可読メディア、
を備えるコンピュータプログラム製品。
【請求項８１】
無線通信のためのヘッドセットであって、
検知されたデータを提供するように適合されたマイクロホンと；
電子デバイスの少なくとも１つのリソースを識別する情報を受信するように構成された受信機と；
前記ヘッドセットのリソース情報と、前記電子デバイスの前記の受信されたリソース情報との比較を実行するように構成されたプロセッサと、
なお、前記受信機は、前記の比較に基づいて前記電子デバイスから同期信号を受信するようにさらに構成される；
前記の受信された同期信号に基づいて検知されたデータを送信するように構成された送信機と；
を備えているヘッドセット。
【請求項８２】
無線通信のためのメディカルデバイスであって、
検知されたデータを提供するように適合されたセンサと；
電子デバイスの少なくとも１つのリソースを識別する情報を受信するように構成された受信機と；
前記メディカルデバイスのリソース情報と、前記電子デバイスの前記の受信されたリソース情報との比較を実行するように構成されたプロセッサと、
なお、前記受信機は、前記の比較に基づいて前記電子デバイスから同期信号を受信するようにさらに構成される；
前記の受信された同期信号に基づいて検知されたデータを送信するように構成された送信機と；
を備えているメディカルデバイス。
【請求項８３】
無線通信のための時計であって、
電子デバイスの少なくとも１つのリソースを識別する情報を受信するように構成された受信機と、
前記時計のリソース情報と前記電子デバイスの前記の受信されたリソース情報との比較を実行するように構成されたプロセッサと、
なお、前記受信機は、前記の比較に基づいて前記電子デバイスから同期信号を受信するようにさらに構成される、
前記受信機を介して受信されたデータに基づいて、ビジュアル出力を提供するように適合された、ディスプレイと、
を備えている時計。
【請求項８４】
第２の電子デバイスの少なくとも１つのリソースを識別する情報を、第１の電子デバイスにおいて、受信することと、
前記第３の電子デバイスのリソース情報と、前記第２の電子デバイスの前記の受信されたリソース情報とを比較することと、
前記の比較に基づいて、前記第３の電子デバイスと同期するように、少なくとも１つのコンポーネントに命令することと、
を備える無線通信の方法。
【請求項８５】
前記第１の電子デバイスは、前記コンポーネントを備えている、請求項８４に記載の方法。
【請求項８６】
前記第２の電子デバイスは、前記コンポーネントを備えている、請求項８４に記載の方法。
【請求項８７】
前記インストラクションは、前記第２の電子デバイスの前記コンポーネントに、信号を送信することを備える、請求項８６に記載の方法。
【請求項８８】
前記信号は、前記第２および第３の電子デバイス間の通信のための、少なくとも１つのタイミングパラメータを備えている、請求項８７に記載の方法。
【請求項８９】
前記信号は、前記第３の電子デバイスに同期信号を送信するインストラクションを備えている、請求項８７に記載の方法。
【請求項９０】
前記の受信された信号は、少なくとも１つのパルスを備えている、請求項８４に記載の方法。
【請求項９１】
前記少なくとも１つのパルスは、少なくとも約２０パーセントの部分的帯域幅を有しており、少なくとも約５００ＭＨｚの帯域幅を有しており、あるいは、少なくとも約２０パーセントの部分的帯域幅を有し且つ約５００ＭＨｚ以上の帯域幅を有している、請求項９０に記載の方法。
【請求項９２】
第２の電子デバイスの少なくとも１つのリソースを識別する情報を受信するように構成された受信機と、
第３の電子デバイスのリソース情報と、前記第２の電子デバイスの前記の受信されたリソース情報との比較を実行し、
前記の比較に基づいて、前記第３の電子デバイスと同期するように、少なくとも１つのコンポーネントに命令する、
ように構成されたプロセッサと、
を備える無線通信のための電子デバイス。
【請求項９３】
前記電子デバイスは、前記コンポーネントを備えている、請求項９２に記載のデバイス。
【請求項９４】
前記第２の電子デバイスは、前記コンポーネントを備えている、請求項９２に記載のデバイス。
【請求項９５】
前記電子デバイスは、送信機、をさらに備えており、また、前記インストラクションは、前記第２の電子デバイスの前記コンポーネントに、信号を送信することを備える、請求項９４に記載のデバイス。
【請求項９６】
前記信号は、前記第２および第３の電子デバイス間の通信のための、少なくとも１つのタイミングパラメータを備えている、請求項９５に記載のデバイス。
【請求項９７】
前記信号は、前記第３の電子デバイスに同期信号を送信するインストラクションを備えている、請求項９５に記載のデバイス。
【請求項９８】
前記の受信された信号は、少なくとも１つのパルスを備えている、請求項９２に記載のデバイス。
【請求項９９】
前記少なくとも１つのパルスは、少なくとも約２０パーセントの部分的帯域幅を有しており、少なくとも約５００ＭＨｚの帯域幅を有しており、あるいは、少なくとも約２０パーセントの部分的帯域幅を有し且つ約５００ＭＨｚ以上の帯域幅を有している、請求項９８に記載の方法。
【請求項１００】
第２の電子デバイスの少なくとも１つのリソースを識別する情報を受信するための手段と、
第３の電子デバイスのリソース情報と、前記第２の電子デバイスの前記の受信されたリソース情報とを比較するための手段と、
前記の比較に基づいて、前記第３の電子デバイスと同期するように、少なくとも１つのコンポーネントに命令する手段と、
を備える無線通信のための電子デバイス。
【請求項１０１】
前記電子デバイスは、前記コンポーネントを備えている、請求項１００に記載のデバイス。
【請求項１０２】
前記第２の電子デバイスは、前記コンポーネントを備えている、請求項１００に記載のデバイス。
【請求項１０３】
前記命令するための手段は、前記第２のデバイスの前記コンポーネントへの前記同期に関して、信号を送信する、請求項１０２に記載のデバイス。
【請求項１０４】
前記信号は、前記第２および第３の電子デバイス間の通信のための、少なくとも１つのタイミングパラメータを備えている、請求項１０３に記載のデバイス。
【請求項１０５】
前記信号は、前記第３の電子デバイスに同期信号を送信するインストラクションを備えている、請求項１０３に記載のデバイス。
【請求項１０６】
前記の受信された信号は、少なくとも１つのパルスを備えている、請求項１００に記載のデバイス。
【請求項１０７】
前記少なくとも１つのパルスは、少なくとも約２０パーセントの部分的帯域幅を有しており、少なくとも約５００ＭＨｚの帯域幅を有しており、あるいは、少なくとも約２０パーセントの部分的帯域幅を有し且つ約５００ＭＨｚ以上の帯域幅を有している、請求項１０６に記載のデバイス。
【請求項１０８】
検知されたデータを提供するように適合されたマイクロホンと、
前記検知されたデータを送信するように構成された送信機と、
第１の電子デバイスの少なくとも１つのリソースを識別する情報を受信するように構成された受信機と、
第２の電子デバイスのリソース情報と前記第１の電子デバイスの前記の受信されたリソース情報との比較を実行するように、また
前記の比較に基づいて前記第２の電子デバイスと同期するように少なくとも１つのコンポーネントに命令するように、
構成されたプロセッサと、
を備えている無線通信のためのヘッドセット。
【請求項１０９】
検知されたデータを提供するように適合されたセンサと、
前記検知されたデータを送信するように構成された送信機と、
第１の電子デバイスの少なくとも１つのリソースを識別する情報を受信するように構成された受信機と、
第２の電子デバイスのリソース情報と前記第１の電子デバイスの前記の受信されたリソース情報との比較を実行するように、また
前記の比較に基づいて、前記第２の電子デバイスと同期するように、少なくとも１つのコンポーネントに命令するように、
構成されたプロセッサと、
を備えている無線通信のためのメディカルデバイス。
【請求項１１０】
第１の電子デバイスの少なくとも１つのリソースを識別する情報を受信するように構成された受信機と、
第２の電子デバイスのリソース情報と前記第１の電子デバイスの前記の受信されたリソース情報との比較を実行するように、また
前記の比較に基づいて、前記第２の電子デバイスと同期するように少なくとも１つのコンポーネントに命令するように、
構成されたプロセッサと、
を備えている無線通信のための時計。
【請求項１１１】
第２の電子デバイスに、このような第１の電子デバイスから第１の電子デバイスの少なくとも１つのリソースを識別する情報を送信することと、
第１の電子デバイスにおいて、前記第１の電子デバイスの前記の送信されたリソース情報と第３の電子デバイスのリソース情報との比較に基づいて決定を示すデータを、第２の電子デバイスから、受信することと、
を備えている無線通信の方法。
【請求項１１２】
前記第１の電子デバイスから同期信号を、前記第３の電子デバイスに、前記の受信された決定に基づいて、送信すること、をさらに備えている請求項１１１に記載の方法。
【請求項１１３】
前記の受信されたデータは、少なくとも１つのタイミングパラメータを備えている、請求項１１１に記載の方法。
【請求項１１４】
前記第１のデバイスから信号を前記少なくとも１つのタイミングパラメータに基づいて前記第３の電子デバイスに送信すること、
をさらに備えている、請求項１１３に記載の方法。
【請求項１１５】
前記少なくとも１つのタイミングパラメータに基づいて、前記第１の電子デバイスにおいて、前記第３のデバイスから信号を受信すること、
をさらに備えている請求項１１３に記載の方法。
【請求項１１６】
前記第２の電子デバイスと前記第３の電子デバイスは、同じデバイスである、請求項１１１に記載の方法。
【請求項１１７】
前記決定を示す前記データは、同期信号を備えている、請求項１１１に記載の方法。
【請求項１１８】
前記の受信されたデータは、少なくとも１つのパルスを備えている、請求項１１１に記載の方法。
【請求項１１９】
前記少なくとも１つのパルスは、少なくとも約２０パーセントの部分的帯域幅を有しており、少なくとも約５００ＭＨｚの帯域幅を有しており、あるいは、少なくとも約２０パーセントの部分的帯域幅を有し且つ約５００ＭＨｚ以上の帯域幅を有している、請求項１１８に記載の方法。
【請求項１２０】
無線通信のための電子デバイスであって、
前記電子デバイスの少なくとも１つのリソースを識別する情報を、第２の電子デバイスに、送信するように構成された送信機と、
第３の電子デバイスの前記リソース情報と前記送信されたリソース情報との比較に基づいて決定を示すデータを、前記第２の電子デバイスから、受信するように構成された受信機と、
を備えている電子デバイス。
【請求項１２１】
前記送信機は、前記の受信された決定に基づいて前記第３の電子デバイスに、同期信号を送信するように、さらに構成される、請求項１２０に記載のデバイス。
【請求項１２２】
前記の受信されたデータは、少なくとも１つのタイミングパラメータを備えている、請求項１２０に記載のデバイス。
【請求項１２３】
前記送信機は、前記第１のデバイスから信号を前記少なくとも１つのタイミングパラメータに基づいて前記第３の電子デバイスに送信するように、さらに構成されている、請求項１２２に記載のデバイス。
【請求項１２４】
前記受信機は、前記第１電子デバイスにおいて、前記少なくとも１つのタイミングパラメータに基づいて、前記第３のデバイスから信号を受信するように、さらに構成される請求項１２２に記載のデバイス。
【請求項１２５】
前記第２の電子デバイスと前記第３の電子デバイスは、同じデバイスである、請求項１２０に記載のデバイス。
【請求項１２６】
前記決定を示す前記データは、同期信号を備えている、請求項１２０に記載のデバイス。
【請求項１２７】
前記の受信されたデータは、少なくとも１つのパルスを備えている、請求項１２０の方法。
【請求項１２８】
前記少なくとも１つのパルスは、少なくとも約２０パーセントの部分的帯域幅を有しており、少なくとも約５００ＭＨｚの帯域幅を有しており、あるいは、少なくとも約２０パーセントの部分的帯域幅を有し且つ約５００ＭＨｚ以上の帯域幅を有している、請求項１２７に記載の方法。
【請求項１２９】
無線通信のための電子デバイスであって、
前記電子デバイスの少なくとも１つのリソースを識別する情報を、第２の電子デバイスに、送信するための手段と、
第３の電子デバイスの前記リソース情報と前記の送信されたリソース情報との比較に基づいて決定を示すデータを、前記第２の電子デバイスから、受信するための手段と、
を備えている電子デバイス。
【請求項１３０】
前記の送信する手段は、前記の受信された決定に基づいて前記第３の電子デバイスに、同期信号を送信するように、さらに構成される、請求項１２９に記載のデバイス。
【請求項１３１】
前記の受信されたデータは、少なくとも１つのタイミングパラメータを備えている、請求項１２９に記載のデバイス。
【請求項１３２】
前記の送信する手段は、前記第１のデバイスから信号を、前記少なくとも１つのタイミングパラメータに基づいて、前記第３の電子デバイスに送信するように、さらに構成されている、請求項１３０に記載のデバイス。
【請求項１３３】
前記の受信する手段は、前記第１電子デバイスにおいて、前記少なくとも１つのタイミングパラメータに基づいて、前記第３のデバイスから信号を受信するように、さらに構成される、請求項１３０に記載のデバイス。
【請求項１３４】
前記第２の電子デバイスと前記第３の電子デバイスは、同じデバイスである、請求項１２９に記載のデバイス。
【請求項１３５】
前記決定を示す前記データは、同期信号を備えている、請求項１２９に記載のデバイス。
【請求項１３６】
前記の受信されたデータは、少なくとも１つのパルスを備えている、請求項１２９に記載のデバイス。
【請求項１３７】
前記少なくとも１つのパルスは、少なくとも約２０パーセントの部分的帯域幅を有しており、少なくとも約５００ＭＨｚの帯域幅を有しており、あるいは、少なくとも約２０パーセントの部分的帯域幅を有し且つ約５００ＭＨｚ以上の帯域幅を有している、請求項１３６に記載の方法。
【請求項１３８】
検知されたデータを提供するように適合されたマイクロホンと、
前記検知されたデータを送信するように構成され、また、前記電子デバイスの少なくとも１つのリソースを識別する情報を、第２の電子デバイスに、送信するようにさらに構成された送信機と、
第３の電子デバイスの前記リソース情報と前記送信されたリソース情報との比較に基づいて決定を示すデータを、前記第２の電子デバイスから、受信するように構成された受信機と、
を備えている無線通信のためのヘッドセット。
【請求項１３９】
検知されたデータを提供するように適合されたセンサと、
前記検知されたデータを送信するように構成され、また、前記電子デバイスの少なくとも１つのリソースを識別する情報を、第２の電子デバイスに、送信するようにさらに構成される送信機と、
第３の電子デバイスの前記リソース情報と前記送信されたリソース情報との比較に基づいて決定を示すデータを、前記第２の電子デバイスから、受信するように構成された受信機と、
を備えている無線通信のためのメディカルデバイス。
【請求項１４０】
前記電子デバイスの少なくとも１つのリソースを識別する情報を、第２の電子デバイスに、送信するように構成された送信機と、
第３の電子デバイスの前記リソース情報と前記の送信されたリソース情報との比較に基づいて決定を示すデータを、前記第２の電子デバイスから、受信するように構成された受信機と、
前記受信機を介して受信されたデータに基づいてビジュアル出力を提供するように適合させたディスプレイと、
を備えている無線通信のための時計。
【発明の詳細な説明】
【優先権主張】
【０００１】
（米国特許法第１１９条の下の優先権主張）
本出願は、ここでの譲受人に譲渡され、ここにおいて参照することによりここに明示的に組み込まれている、代理人整理番号０６１００４Ｐ１、２００６年４月２６日に出願された「低デューティサイクルデバイスイニシエートのタイミング同期(LOW DUTY CYCLE DEVICE INITIATED TIMING SYNCHRONIZATION)」と題された米国仮特許出願第６０／７９５，５１２号の優先権を主張する。
【背景】
【０００２】
（分野）
本出願は、一般に通信に関し、より具体的には、超広帯域無線通信(ultra-wide band communication)に関する。
【０００３】
（背景）
無線技術は、複数のデバイス間の通信を可能にし、また、パーソナルエリアネットワーク(personal area network)（「ＰＡＮ」）およびボディエリアネットワーク(body area network)（「ＢＡＮ」）のような様々な無線通信ネットワークに関連した様々なアプリケーションのために使用されることができる。このようなネットワークにおける通信の同期は、デバイスの本質的なリソースを消費できる。したがって、通信同期のための代替的な方法および装置(apparatuses)の必要性が存在する。
【発明の開示】
【概要】
【０００４】
本開示のサンプル態様の概要(summary)は、以下の通りである。便宜上、本開示の１つ以上の態様は、ここでは単に「いくつかの態様(“some aspects”)」と呼ばれることができる。
【０００５】
本発明の方法および装置、あるいは、デバイス(devices)のそれぞれは、いくつかの態様を有しており、そのうちの１つも、その望ましい属性(desirable attributes)に関して単独で責任を有さない。本発明の範囲を限定することなく、例えば、特許請求の範囲によって表現されるように、そのより顕著な特徴が簡単に説明される。この議論を考慮した後、特に「詳細な説明」と題されたセクションを読んだ後に、人は、どのようにして本発明の特徴が、例えば、超広帯域無線(Ultra-wideband)（ＵＷＢ）ネットワークにおける通信同期について、電力および／または他のリソースの低減された消費を含む利点を提供するのかを、理解するであろう。
【０００６】
いくつかの態様は、データを通信する方法を含んでいる。方法は、第２の電子デバイスの少なくとも１つのリソースを識別する情報を受信すること、電子デバイスのリソース情報を送信すること、電子デバイスのリソース情報と、第２の電子デバイスの受信されたリソース情報を比較すること、を含む。方法はさらに、リソース比較に基づいて第２のデバイスに同期信号を送信すること、を含むことができる。方法はさらに、リソース比較の後に続く(subsequent)第２のデバイスから同期信号を受信すること、を含むことができる。他の態様は、データを通信するためのシステム、装置およびデバイスを含む。例えば、いくつかの態様は、データを通信するためのこのような方法を使用するように構成された、ヘッドセット(headsets)、時計(watches)およびメディカルデバイス(medical devices)のようなデバイスを含む。
【詳細な説明】
【０００７】
次の詳細な説明は、本発明のある特定の態様に向けられる。しかしながら、本発明は、多くの異なる方法で、例えば、請求項の範囲によって定義され且つカバーされるように、具現化されることができる。ここの態様が多種多様な形式において具現化されることができるということ、そして、任意の特定のストラクチャ、機能、あるいは、ここに開示されている両方は単なる見本(representative)であるということは、明らかであるべきである。ここの教示(teachings)に基づいて、当業者は、ここに開示される態様は、いずれの他の態様から独立して、インプリメントされる(implemented)ことができるということ、そして、これらの態様のうちの２つ以上が様々な方法で組み合わされることができるということ、を理解するべきである。例えば、装置はインプリメントされることができる、あるいは、方法は、ここに述べられた任意の数の態様を使用して行なわれることができる。さらに、ここに記述される態様のうちの１以上に加えて、あるいは、ここに記述される態様のうちの１以上とは異なる、他のストラクチャ、機能性(functionality)、あるいは、ストラクチャおよび機能性を使用して、このような装置はインプリメントされることができる、あるいは、このような方法は実施されることができる。いくつかの上のコンセプトの一例として、いくつかの態様においては、複数のデバイス間の通信チャンネルは、パルスポジション変調(pulse position modulation)に基づくことができる。いくつかの態様においては、複数のデバイス間の通信チャンネルは、畳込み符号化(convolutional coding)に基づくことができる。いくつかの態様においては、通信チャンネルは、パルスポジション変調および畳込み符号化に基づくことができる。
図１は、無線接続された複数デバイス１０２のシステム１００の一例を図示している、ブロック図である（例、デバイスＡ、…、デバイスＥとラベルがつけられた）。図１で５つのデバイスが示されている間に、システム１００の例は、任意の数のデバイス１０２を使用するように構成されることができる。システム１００は、１つ以上のパーソナルエリアネットワーク（ＰＡＮ）および／またはボディエリアネットワーク（ＢＡＮ）を備えることができる。複数デバイス１０２のそれぞれは、無線リンク１０６を介して通信するように構成されることができる。システム１００は、モバイル電話、無線Ｅｔｈｅｒｎｅｔ（登録商標）、有線ネットワーク、無線リンク１０８にわたって通信するように構成された、他の適切なネットワークインタフェース、のような、より長いレンジのネットワークインタフェース(a longer range network interface)を備える、１つ以上のデバイス１０２をオプションとして含むことができる。複数デバイス１０２は、ヘッドセットおよび時計のようなデバイス（電話および／またはメッセージ（あるいはそれらからなる部分）、例えば電子メール、ショートメッセージシステム（ＳＭＳ）メッセージ、あるいはいずれの他のタイプのデータ、無線リンク１０６および１０８上で受信されたデータを含んでいる、の呼び出し者ｉｄのような、情報を表示するように構成されたポータブルデバイス）を備えることができる。複数デバイス１０２のそれぞれは、１つ、２つ、あるいは任意の数の他のデバイス１０２と通信することができる。
【０００８】
１つ以上のデバイス１０２は、他のデバイス１０２が最初にリンク１０６上で通信するとき、他のデバイスの存在(presence)を検出する(detect)ことができる。２つ以上のデバイス１０２は、リンク１０６上で、メッセージの交換を通じて、ペアになることができる(paired)。例えば、２つのデバイス１０２は、２つのデバイス１０２のうちの一方が初めに他のデバイス１０２を（無線リンク１０６上でメッセージを受信することによって）検出するとき、ペアになることができる。ペアリングプロセス(pairing process)は、ユーザの認可のペアリング(a user’s authorization of the pairing)に少なくとも部分的に基づくことができる。複数デバイス１０２のペアになったグループは、特定のパーソナルあるいはボディエリアネットワークを定義づけることができる。
【０００９】
さらに下で説明されるように、いくつかの態様においては、通信リンク１０６は、パルベースの物理層(a pulse-based physical layer)を有している。例えば、物理層は、比較的短い長さ（例、約２，３ナノ秒）と、比較的幅広い帯域幅を有する、超広帯域無線パルス(ultra-wideband pulses)を使用することができる。いくつかの態様においては、超広帯域(ultra-wide band)は、少なくとも約２０パーセント以上の部分的帯域幅を有し、および／または、約５００ＭＨｚ以上の帯域幅を有するもの、として定義されることができる。部分的帯域幅は、その中心周波数(center frequency)で割られたデバイスに関連した特定の帯域幅である。例えば、本開示によるデバイスは、中心周波数８．１２５ＧＨｚを備えた１．７５ＧＨｚの帯域幅を有することができ、したがって、その部分的帯域幅は、１．７５／８．１２５、あるいは、２１．５％である。
【００１０】
当業者は、情報および信号は、様々な異なる技術および技法のいずれかを使用して表わされることができるということを、理解するであろう。例えば、上記の説明をとおして参照されることができる、データ、インストラクション、コマンド、情報、信号、ビット、シンボル、およびチップは、電圧、電流、電磁波、磁場あるいは磁性粒子、光場あるいは光学粒子、あるいはそれらのいずれの組合せによって表わされることができる。
【００１１】
図２は、無線デバイス１０２の一例を図示するブロック図である。デバイス１０２は、無線リンク１０６を介して通信するために、ネットワークインタフェース２０６およびメモリ２０４と通信する、プロセッサ２０２を含んでいる。オプションとして、デバイス１０２は、１つ以上のディスプレイ２１０と、例えば、キー、タッチスクリーン、あるいは、他の適切な触覚入力デバイスのようなユーザ入力デバイス２１２と、無線リンク１０６上で受信された信号に基づいてオーディブル出力を提供するように適合されたトランスデューサを備えているラウドスピーカー２１４と、および／または、無線リンク１０６上で送信される可能性のある信号のオーディブル入力を提供するように適合されたトランスデューサを備えているマイクロホン２１６と、をさらに含むことができる。例えば、時計は、無線通信リンクを介して受け取られた信号に基づいてビジュアル出力を提供するように適合されたディスプレイ２１０を含むことができる。メディカルデバイスは、無線通信リンク１０６を介して、送信されるべき、少なくとも１つの検知された信号あるいは検知されたデータを生成するように適合されたセンサを含む、１つ以上の入力デバイス２１２を含むことができる。
【００１２】
ネットワークインタフェース２０６は、例示的なデバイス１０２が無線リンク１０６上で１つ以上のデバイスと通信することができるように、任意の適切なアンテナ（示されてはいない）、受信機２２０、そして、送信機２２２を含むことができる。オプションとして、ネットワークインタフェース２０６は、さらに、プロセッサ２０２の処理条件(processing requirement)を低減する処理機能を有することができる。
【００１３】
オプションとして、デバイス１０２は、リンク１０８を介して、ネットワーク１１０上で通信する、第２のネットワークインタフェース２０８を含むことができる。例えば、デバイス１０２は、有線あるいは無線通信リンクを介して、他のネットワーク１１０（例、インターネットのような広域ネットワーク）に接続性を供給することができる。したがって、デバイス１０２は、他のデバイス１０２（例、Ｗｉ−Ｆｉステーション）に他のネットワーク１１０にアクセスすることをイネーブルすることができる。さらに、複数デバイス１０２のうちの１つ以上がポータブル、あるいはいくつかのケースにおいては、比較的非ポータブルであってもよい、ということは理解されるべきである。第２のネットワークインタフェース２０８は、ＩＥＥＥ８０２．１１（ａ）（ｂ）あるいは（ｇ）を含むＩＥＥＥ８０２．１１標準、ＢＬＵＥＴＯＯＴＨ（登録商標）標準、および／または、無線セル電話ネットワーク内で通信するように使用される、ＣＤＭＡ、ＧＳＭ、ＡＭＰＳあるいは他の既知信号にしたがって、ＲＦシグナルを送信し受信することができる。さらに、第２のネットワークインタフェース２０８は、Ｅｔｈｅｒｎｅｔ（登録商標）（ＩＥＥＥ８０２．３）のような任意の適切な有線ネットワークインタフェースを備えることができる。
【００１４】
デバイス１０２は、デバイス１０２のうちの１つ以上のコンポーネントに電力を供給するためにオプションとして、バッテリ２３１を含むことができる。デバイス１０２は、モバイルハンドセット、携帯情報端末(a personal digital assistant)、ラップトップコンピュータ、ヘッドセット、乗り物ハンズフリーデバイス(a vehicle hands free device)、あるいはいずれの他の電子デバイス、のうちの少なくとも１つを備えることができる。さらに、デバイス１０２は、１つ以上の、バイオメディカルセンサ(biomedical sensor)、バイオメトリックスセンサ(biometric sensor)、ペースメーカーあるいは人体を測定するあるいは影響を与えるためのいずれの他のデバイス、のうち１つ以上を備えることができる。特に、ここの教示は、様々なデバイス１０２に組み込まれる（例、様々なデバイス内でインプリメントされる、あるいは、様々なデバイスによって実行される）ことができる。例えば、ここに教示される１つ以上の態様は、電話（例、セルラ電話）、携帯情報端末（「ＰＤＡ」）、エンタテイメントデバイス（例、ミュージックあるいはビデオデバイス）、ヘッドセット（例えばヘッドホン、耳当てなど）、マイクロホン、バイオメトリックスセンサ（例、心拍数モニタ、歩数計、ＥＫＧデバイス、キーボード、マウス、など）、ユーザＩ／Ｏデバイス（例、時計、遠隔コントロール、ライトスイッチ(light switch)、など）、タイヤ空気圧モニタ、コンピュータ、ＰＯＳ、エンタテイメントデバイス、補聴器、セットトップボックス、あるいはいずれの他の適切なデバイス、に組み入れられることができる。
【００１５】
ここに記述されたコンポーネントは、様々な方法でインプリメントされることができる。図２を参照すると、デバイスあるいは装置１０２は、例えば、プロセッサ２０２、ソフトウェア、それらのいくつかの組み合わせ、あるいは、ここに教示されているようないくつかの他の方法、によってインプリメントされる機能を表すことができる、相互関連機能ブロックの一連として表されている。例えば、プロセッサ２０２は、入力デバイス２１２を介して、ユーザ入力を容易にすることができる。さらに、送信機２２２は、別のデバイス１０２に情報を送信することに関して、様々な機能を提供する送信用のプロセッサを備えることができる。受信機２２０は、ここに教示されているように、別のデバイス１０２から情報を受信することに関して、様々な機能を提供する、受信用のプロセッサを備えることができる。
【００１６】
上で注目されるように、図２は、いくつかの態様において、これらのコンポーネントが適切なプロセッサコンポーネントを介してインプリメントされることができるということを図示する。これらのプロセッサコンポーネントは、いくつかの態様においては、少なくとも部分的に、ここに教示されるようなストラクチャを使用して、インプリメントされることができる。いくつかの態様においては、プロセッサは、これらのコンポーネントのうちの１つ以上の機能性の部分あるいはすべてをインプリメントするために適合されることができる。いくつかの態様において、点線のボックスによって表わされたコンポーネントのうち１つ以上はオプションである。
【００１７】
いくつかの態様において、デバイスあるいは装置１０２は、集積回路を備えることができる。したがって、集積回路は、図２に図示されたプロセッサコンポーネントの機能性を提供する、１つ以上のプロセッサを備えることができる。例えば、いくつかの態様において、単一のプロセッサは、図示されたプロセッサコンポーネントの機能性をインプリメントすることができる、その一方で、他の態様においては、１つ以上のプロセッサは、図示されたプロセッサコンポーネントの機能性をインプリメントすることができる。さらに、いくつかの態様においては、集積回路は、図示されたプロセッサコンポーネントの機能性のいくつかあるいはすべてをインプリメントする、他のタイプのコンポーネントを備えることができる。
【００１８】
図３は、デバイス１０２の送信機２２２の一例を図示するブロック図である。当業者にとって明らかであるように、図示された図３のブロック図において、デバイス１０２の論理モジュールは、通信ネットワークについての、レイヤード、アブストラクト説明の観点で(in terms of a layered, abstract description for a communications network)図示されている。下で注目されるように、各層は、ソフトウェア、ハードウェア、あるいは、両方のいずれの適切な組み合わせ、においてインプリメントされることができる、１つ以上の論理モジュールを備えることができる。送信機２２２は、（ｉ）送信のための、データリンクあるいはメディアアクセス制御(media access control)（ＭＡＣ）層４０２に、情報を提供するアプリケーション層４０１、（ｉｉ）アプリケーション層４０１からデータを受信し、物理層４０４にそれを提供する、メディアアクセス制御（ＭＡＣ）層４０２、（ｉｉｉ）ＭＡＣ層４０２からデータを受信し、そして、無線チャネル１０６上でデータを送信する、物理（ＰＨＹ）層４０４、を含むことができる。図示された送信機２２２において、ＰＨＹ層は、パルスジェネレータ４０６、コード化且つ変調ブロック４０８、および送信ブロック４１０を含む。位相ロックされたループ(a phase locked loop)（ＰＬＬ）（示されてはいない）は、ＰＨＹ層にタイミング信号(timing signals)を供給することができる。パルスジェネレータ４０６は、ガウスパルス波形(Gaussian pulse waveforms)のような波形を生成する。コード化且つ変調ブロック４０８は、畳込みコード化、ブロックコード化(block coding)、あるいは、連接符号化(concatenated coding)、のような、コード化スキームを使用して、ＭＡＣ層４０２によって供給された、情報信号をコード化し、パルスポジション変調、パルス増幅変調、あるいは送信されたレファレンス変調のような、スキームを使用して、コード化された情報信号に基づいてパルス信号を変調する。送信ブロック４１０は、変調されたパルス信号を送信する。送信ブロック４１０の機能は、送信のための変調されたパルス信号を増幅すること、そして、アンテナに信号を供給すること、を含むことができる。
【００１９】
図４は、デバイス１０２の受信機２２０の一例を図示するブロック図である。当業者に明らかであるように、図４の図示されたブロック図において、デバイス１０２の論理モジュールは、通信ネットワークについてのレイヤードアブストラクト説明の観点で、図示される。下に注目されるように、各層はソフトウェア、ハードウェアあるいは両方のいずれの適切な組み合わせにおいて、インプリメントされることができる、１つ以上の論理モジュールを備えることができる。図４において、受信機２２０は、アプリケーション層４０１およびＭＡＣ層４０２を含む。ＰＨＹ層４０４は、ＭＡＣ層４０２と通信中である。受信機のＰＨＹ層４０４は、復調および復号ブロック５０８と、受信ブロック５１０を含む。受信ブロック５１０は、アンテナ、電力増幅器および他の適切な受信機コンポーネントを備えることができる、複数コンポーネント（示されていない）を含むことができる。受信ブロック５１０は、ワイヤレス信号を受信し、そして、復調および復号ブロック５０８にその信号を供給し、それは、信号を復調し且つ復号し、ＭＡＣ層４０２に受信されたデータを提供する。
【００２０】
受信機２２０および送信機２２２は、様々な無線物理層スキームを使用することができる。例えば、受信機２２０および送信機２２２の物理層４０４は、ＣＤＭＡ、ＴＤＭＡ、ＯＦＤＭ、ＯＦＤＭＡあるいは他の変調且つ多重化スキーム、を利用することができる。
【００２１】
システム１００の複数デバイス１０２間の獲得および同期の間(during acquisition and synchronization)、電力およびプロセッサ消費は、低デューティサイクルを有する複数デバイス１０２、例、低デューティサイクルデバイス(a low duty cycle device)（ＬＤＤ）、について実質的であることができる。低デューティサイクルデバイスは、それがオペレーション中である、比較的小さい割合の時間の間のみ、データを送信する、あるいは、受信するデバイスを指す。例えば、ヘルスセンサ(health sensor)は、時間の量に比べて、同期および獲得のオペレーションを非常にしばしば実行しなくてはならず、そうでなれば、動力を供給され(powered)、操作されるであろう。いくつかの態様において、方法および装置は、このような獲得および同期について、電力およびプロセッサ消費を減少するために供給される。
【００２２】
システム１００の一例において、特定デバイス１０２は、ネットワーク制御装置デバイス(network controller device)（ＮＣＤ）、例えば携帯電話、を備えることができる。ＮＣＤ１０２は、一定間隔において、同期信号を備えているビーコン(a beacon)を送信することができる。特定デバイス１０２（例、ＬＤＤ）が起きる(wakes up)場合、それは、システムと同期するためにビーコンを探索する。タイミング中に、不正確の悪影響を緩和する(mitigate)ために、ＬＤＤは、あまりにも多くのドリフトを回避するためにトラッキングループ(tracking loop)を操作しなければならないかもしれない。電力および処理リソースにおいて関連づけられたコストは、いくつかのデバイス１０２に重要でありうる。
【００２３】
ＮＣＤあるいはＬＤＤとして、特定デバイス１０２の名称(designation)は、単に、システム１００のデバイス１０２が実行することができる、役割の説明の目的のためであるということが認識されるべきである。特には、特定デバイス１０２は、１つ以上の他のデバイス１０２に関して、ＮＣＤｓとして作用することができ、そして、１つ以上の他のデバイスに関して、ＬＤＤｓとして作用することができる。さらに、ＮＣＤとＬＤＤのデバイスの役割は、利用可能リソースにおける変更に基づいて、時間にわたって変更することができる。例えば、ＮＣＤのバッテリが規定レベル(specified level)を越えてディスチャージする(discharges)場合、ＮＣＤおよびＬＤＤは、役割を交換することができる。
【００２４】
特に、デバイス１０２は、特定のシステム１００の他のデバイス１０２でリソース情報を示すメッセージを送信し、そして、受信することができる。各デバイス１０２は、特定の他のデバイスに参照してＮＣＤあるいはＬＤＤとして作用するかどうかを決定するために、各デバイス１０２自体のリソース情報と、他のデバイス１０２から各デバイス１０２が受信するリソース情報を比較することができる。システム１００の一例において、デバイス１０２がシステム１００を定義するためにペアにされるとき、このようなリソース情報は、交換される。システム１００の一例においては、リソース情報はさらに（あるいは代替的に）デバイス１０２に役割を変更することを可能にするように、例えば、それらのバッテリが異なるレートでディスチャージするとき、あるいは、デバイス１０２がシステム１００から加えられ、あるいは、取り除かれるとき、周期的に(periodically)共有される（そしてアップデートされる）ことができる。
【００２５】
特定デバイス１０２、例えばＮＣＤｓ、はシステム１００の他のデバイス１０２よりも、より柔和な電力およびレート制約(more lenient power and rate constraints)を有することができる。例えば、特定デバイス１０２は、数ヶ月あるいは数年の間、バッテリのチャージなしで、操作するように構成された、ヘルスセンサのようなＬＤＤを備えることができる。このようなデバイス１０２については、ＮＣＤｓとして構成されたデバイスを含んでいる他のデバイス１０２への同期プロシージャ(synchronization procedure)の負荷量(burden)をトランスファする(transfer)ことは望ましい。
【００２６】
システム１００の一例においては、ＬＤＤのような特定デバイスは、送信プロシージャ(transmission procedure)をイニシエートする(initiates)。例えば、ＬＤＤ１０２が起きて、そしてトランスファするデータを有しているとき、あるいは、それが遠隔で別のデバイス１０２（例、ＮＣＤ）によって起こされるとき、ＬＤＤデバイス１０２は、同期信号をＮＣＤ１０２に、通信リンク１０６を介して、送る。同期信号はプリアンブルシーケンス(preamble sequence)を含むことができる。ＮＣＤ１０２は、獲得および同期プロシージャ(acquisition and synchronization procedures)をイニシエートし、プリアンブルシーケンスに基づいてＬＤＤのタイミングパラメータを得る。
【００２７】
システム１００の一例において、ＮＣＤ１０２は、ＬＤＤパラメータにマッチするために、そのあと、定期的にそのタイミングパラメータを適合する、それによって、ＬＤＤ１０２に任意のタイミングパラメータ調節なしで送信し続けることを可能にする。システム１００の別の例において、ＮＣＤ１０２は、代替的に（または、さらに）定期的タイミングアップデートをＬＤＤ１０２に通信することができる。システム１００のこのような例において、ＬＤＤ１０２は、これらのアップデートに基づいてそのタイミングパラメータを調節する。システム１００の一例において、ＮＣＤ１０２は、タイミングデータの複数セット(multiple sets of timing data)、例えば各ＬＤＤについての異なるセット、を維持することによって、他のＬＤＤｓ１０２を含む複数のデバイス１０２と通信することができる。
【００２８】
同期信号を送信した後で、ＬＤＤ１０２は、タイミングオフセットのような実質的に同じタイミングパラメータを使用して、戻って送信された、確認応答(an acknowledgement)を受信することを予想して、時間の期間の間、通信リンク１０６にリスンする(listen)ことができる。もし、それが有効なレスポンス(valid response)を受け取らない場合には、それは、スリープ(sleep)に戻ってもよいし、あるいは、適切な間隔においてメッセージを繰り返してもよい。
【００２９】
同期信号を受信した後で、ＮＣＤ１０２は、異なる時間オフセットに(at a different time offset)送信するために、ＬＤＤ１０２にオフセットを供給して、メッセージを送信することができる。このメッセージは、特定チャネルに通信をシフトする(shift)ように、ＬＤＤ１０２に命令できる。さらに、ＮＣＤ１０２は、時間ベースモード(time based mode)をブロードキャストすることに関するデータを供給して、メッセージを送信することができる。
【００３０】
さらに、ＮＣＤ１０２は、ＬＤＤ１０２に、チャネルおよびタイミングの割り当て(timing assignments)を供給することができる。ＮＣＤ１０２は、干渉を低減するために、ＬＤＤ１０２に、タイミングデータのアップデートを供給することができる。さらに、ＮＣＤ１０２は、それらのＬＤＤｓ１０２は、同時に(concurrently)ＮＣＤ１０２と、あるいは他のＬＤＤｓ１０２と通信するとき、干渉を減らすＬＤＤｓ１０２に、チャネルを割り当てることができる。
【００３１】
図５は、無線接続されたデバイス１０２のシステム１００の別の一例を図示するブロック図である。システム１００の他の例は、任意の数のデバイスを有することができる。具体的に、図５は、３つのデバイス１０２、デバイス１０２Ａ、１０２Ｂおよび１０２Ｃを図示している。デバイス１０２Ａは、無線リンク１０６Ａを介してデバイス１０２Ｂと通信し、そして、無線リンク１０６Ｃを介してデバイス１０２Ｃと通信する。デバイス１０２Ｂは、さらに、無線リンク１０６Ｃを介してデバイス１０２Ｃと通信することができる。無線リンク１０６Ａのそれぞれは、同じあるいは異なる通信パラメータ（例、タイミングオフセットおよびチャネル）を使用することができる。
【００３２】
説明のために、デバイス１０２Ｂおよび１０２ＣがＬＤＤｓである一方で、デバイス１０２Ａは、ＮＣＤであってもよい。このようなシステムにおけるオペレーションにおいて、デバイス１０２Ｂおよび１０２Ｃのそれぞれは、デバイス１０２Ａに、それらのリソース情報を送信する。このリソース情報は、デバイス１０２Ａ、１０２Ｂ、および１０２Ｃがペアにされるとき、および／または、周期的に、送信されることができる。デバイス１０２Ａは、さらに、デバイス１０２Ｂおよび１０２Ｃのうちの１つあるいは両方に、それのリソース情報を送信することができる。システム１００の一例において、複数デバイスのそれぞれは、どのデバイスが同期信号を送信するか、そして、どれが同期信号を受信するように構成されるべきか、を決定するために、他のデバイス１０２から受信されたリソースと、そのリソースを比較する。同期信号を受信する予定である、デバイス１０２、例えばデバイス１０２Ａは、デバイス１０２Ｂによって送信されるべきベーコン信号のような同期信号を待つ。デバイス１０２Ｂは、デバイス１０２Ａと再同期するために、例えばデバイス１０２Ｂがスリープモードにあった後で、同期信号を送信することができる。
【００３３】
システム１００の別の例において、例えば、ペアリングにおいて、ＬＤＤ１０２Ｂおよび１０２Ｃのような特定のＬＤＤデバイスが同期信号を送信すべきかどうか、あるいは、このような信号、例ＮＣＤ１０２Ａ、を受信するように構成されるべきどうかのために、ある規定されたデバイス、例えばデバイス１０２ＡのようなＮＣＤデバイス、は比較を実行し、インストラクションを提供する。
【００３４】
システム１００の一例において、ＬＤＤｓ１０２Ｂおよび１０２Ｃは、ＮＣＤ１０２Ａによって供給された、タイミングおよび他の同期データに基づいて、無線リンク１０６Ｂを介して互いに通信するように構成されることができる。例えば、ＬＤＤｓ１０２Ｂおよび１０２Ｃは、通信チャネル１０６Ａおよび１０６Ｃを確立するために、ＮＣＤ１０２Ａに、同期信号を送信するように構成されることができる。ＬＤＤｓ１０２Ｂおよび１０２Ｃのうちの１方、あるいは両方は、無線リンク１０６Ａおよび１０６Ｃを介して、ＮＣＤ１０２Ａから、それらの共有された無線リンク１０６Ｂのためのタイミングおよび他の同期情報を受信するように構成されることができる。システム１００の一例において、ＮＣＤ１０２Ａは、ＬＤＤデバイス１０２Ｂおよび１０２Ｃに、低い干渉を有する１つ以上の直交あるいは準直交のチャネルを割り当ててメッセージを送信するように構成される。ＮＣＤデバイス１０２Ａは、したがって、タイミングアップデートを、ＬＤＤデバイス１０２Ａおよび１０２Ｂ間の通信における干渉を減らすために、ＬＤＤｓ１０２に提供することができる。
【００３５】
システム１００のいくつかの例において、特定ＬＤＤ１０２からデータを受信して多くのＮＣＤｓ１０２があるとき、ＮＣＤ１０２は、ＬＤＤ１０２をトラックすることができる。例えば、システム１００の一例において、それぞれ異なるＮＣＤ１０２を有するＰＡＮの２つの部分の間で（例、２あるいはそれ以上のサブネット間で）、特定のＬＤＤは、通信をリレーすることができる。このようなシステム１００において、それがＮＣＤｓ１０２のそれぞれに対して通信について同期およびタイミングを生成するのに最も効率であるということ、をＬＤＤ１０２は決定することができる。したがって、ＬＤＤ１０２は、同期（例、ビーコン）信号を、ＮＣＤｓ１０２のそれぞれに、送信する。各ＮＣＤは、同期信号を受信し、受信された信号に基づいて同期プロシージャを実行し、そしてＬＤＤのタイミングをトラックする。
【００３６】
したがって、いくつかの態様において、獲得および同期に関連づけられるリソース消費は、システム１００の複数デバイス１０２間で、例えば少ない電力あるいは他のリソース機能を有する複数デバイス１０２からより多い機能のある複数デバイス１０２へ、シフトされることができる。
【００３７】
図６は、システム１００の例においてのような、データを通信する方法６００の一例を図示するフローチャートである。方法６００は、第１デバイス１０２の受信機２２０が第２の電子デバイス１０２のリソースを識別する情報を受信する、ブロック６０２で始まる。第１のデバイス１０２の送信機２２２は、さらに、第１の電子デバイス１０２のリソース情報を、例えば第２の電子デバイス１０２に、送信することができる。リソース情報は、電力情報およびプロセッシングリソース情報のうち１つ以上を含むことができる。電力リソース情報は、バッテリ２３１のチャージステータス、そして、バッテリ２３１の十分に充電されたキャパシティ、に関する情報を含むことができる。リソース情報は、例えばデバイスが、センサ読み取りを実行し、送信するために周期的に起こすメディカルデバイスあるいはセンサのような、低デューティサイクルデバイスのリソース消費プロファイルを有するかどうかデューティサイクル情報を、さらに含むことができる。プロセッシングリソース情報は、例えば、プロセッサ２０２および／またはメモリ２０４の機能についての情報を含むことができる。ブロック６０２において受信され、且つ、ブロック６０４において送信されるリソース情報は、ペアリングメッセージ(paring message)においてデータを備えることができる。
【００３８】
ブロック６０６に移って、プロセッサ２０２は、電子デバイスのリソース情報と、第２の電子デバイスの受信されたリソース情報を比較する。例えば、プロセッサ２０２は、リソースを比較することができ、そして、第１の電子デバイスが、第２の電子デバイスよりも、より少ない少なくとも１つのリソース、例えばより少ないバッテリキャパシティあるいはリザーブの形態におけるより少ない電力リソース、を有するということを決定することができる。上に注目されるように、比較は、いったん第１および第２デバイス１０２のペアリングにおいて、あるいは、第１および第２デバイス１０２がシステム１００に入る度に、実行されることができる。あるいは、また、さらに、より少ないリソースが時間ごとに変更することができるように、リソース情報を周期的にデバイス１０２は交換することができる。別の例において、プロセッサ２０２は、リソース情報のマルチファクタ、あるいは、リソース情報の重み付けされた比較(a multifactor or weighted comparison)を使用することができる。例えば、比較は、生のリソースデータ（例、バッテリキャパシティあるいは各デバイスのリザーブ(reserves)）、リソースデータに基づいて導き出されたデータ(derived data)（例、各デバイスのデューティサイクルに基づいたバッテリ寿命、あるいは、そのデューティサイクルを考慮して各デバイスによって望ましいバッテリ寿命）に基づくことができる。したがって、例えば、ヘルスセンサデバイス１０２は、大きいバッテリキャパシティを、しかし低い期待デューティサイクル(a low expected duty cycle)を、有することができるので、ヘルスセンサデバイス１０２が、同様のバッテリキャパシティを、しかし高デューティサイクルを、有するセル電話１０２よりも、より少ないリソースを有することを、比較は識別することができる。
【００３９】
システム１００の一例において、第１および第２のデバイス１０２のそれぞれは、各デバイス１０２が同期信号を送信するあるいは受信するかどうかを決定するように、あらかじめ決定されたプロトコルにしたがって同じあるいは対応する比較を実行する。別の例において、ペアリング中に、あるいは、複数デバイス１０２のそれぞれが通信するとき、各デバイス１０２に通信される比較の結果を示すデータを用いて、比較は、どのデバイス１０２が同期信号を送信し、どのデバイス１０２が受信するのかを決定するために、実行される。システム１００の一例で、第３のデバイス１０２は、第１および第２デバイス１０２のそれぞれのリソース情報を受信し、比較を実行し、どのデバイス１０２が同期信号を送信すべきかのために決定をし、そして、その決定でデバイス１０２を提供する。
【００４０】
ブロック６０８に移って、送信機２２２は、同期信号を、第２デバイスに、ブロック６０６の比較の後で、送信する。例えば、システム１００の一例において、第２の電子デバイスと通信するためのタイミングデータを維持することは、電力消費の点から、コストがかかり、また、そのようなデータを受信するデューティサイクルを増大させうる。低デューティサイクルデバイス１０２は、受信デバイス１０２が通信の同期を決定し、そして維持する、例えば送信機タイミングパラメータを使用するようにそれ自体を構成する、ように、別のデバイス１０２に同期信号を送信することによって、このようなオーバーヘッドを減少させることができる。このようなデバイスの一例において、電子デバイス１０２が、第２の電子デバイス１０２よりもより少ない電力あるいはバッテリリソースを有するとき、第１のデバイス１０２の送信機２２２は、同期信号を送信するように構成されることができ、したがって、第２の電子デバイス１０２とのタイミング同期を維持する、減少された受信および送信オーバーヘッドから、利益を得るであろう。同期信号はビーコン信号を含むことができる。第１のデバイス１０２は、同期信号から導き出される、あるいは、通信される、タイミングおよび他の同期データに基づいて、データを追加的に受信し、第２のデバイスに送信することができる。
【００４１】
図７は、図６の方法６００を使用して通信するデバイス１０２の一例を図示するブロック図である。図示された例において、デバイス１０２は、第２の電子デバイス１０２のリソースを識別する情報を受信するために、手段あるいは集積回路（ＩＣ）６５２を備える。ＩＣ６５２は、図２および４の受信機２２０を備えることができる。ＩＣ６５２は、図２および４の受信機２２０を備えることができる。デバイス１０２はさらに、電子デバイス１０２のリソース情報と、第２の電子デバイス１０２の受信されたリソース情報とを比較するために、手段あるいはＩＣ６５４を備えることができる。ＩＣ６５４は、図２のプロセッサ２０２を含むことができる。デバイス１０２はさらに、ＩＣ６５４によって実行される比較の後、第２のデバイスに同期信号を送信するために、手段あるいはＩＣ６５６を備えることができる。ＩＣ６５６は、図２および３の送信機２２２を備えることができる。ＩＣ５６５は、さらに、電子デバイス１０２のリソース情報を送信するように構成されることができる。
【００４２】
図８は、システム１００の一例においてのようなデータを通信する方法７００の一例を図示するフローチャートである。方法７００は、第１デバイス１０２の受信機２２０が第２の電子デバイス１０２のリソースを識別する情報を受信する、ブロック７０２で始める。リソース情報は、１つ以上の電力リソース情報および処理リソース情報を含むことができる。電力リソース情報は、バッテリ２３１のチャージステータスおよびバッテリ２３１の十分にチャージされたキャパシティに関する情報を含むことができる。リソース情報は、例えばデバイスがセンサ読み取りを実行し、送信するために周期的に起こす、メディカルデバイスあるいはセンサのような低デューティサイクルのリソース消費プロファイルを有するかどうか、デューティサイクル情報、をさらに含むことができる。プロセッシングリソース情報は、例えば、プロセッサ２０２および／またはメモリ２０４の機能についての情報、を含むことができる。リソース情報は、ペアリングメッセージにおいて受信されたデータを備えることができる。第１のデバイス１０２の送信機２２２は、さらに、第１の電子デバイス１０２のリソース情報を送信することができる。
【００４３】
ブロック７０６に移って、プロセッサ２０２は、電子デバイスのリソース情報と、第２の電子デバイスの受信されたリソース情報とを比較する。例えば、第１の電子デバイスは、第２の電子デバイスよりもより多い少なくとも１つのリソース(more of at least one resource)、例えばより大きなバッテリキャパシティあるいはリザーブの形態においてより多くの電力リソース、を有するということを、プロセッサ２０２は決定することができる。ブロック７０８に移って、受信機２２２は、ブロック６０６の比較の後で、第２のデバイスから同期信号を受信する。例えば、システム１００の一例において、第２の電子デバイスにおいてタイミングあるいは他の同期データを維持することは、電力消費の観点からはコストが高く、そしてこのようなデータを受信するためにデューティサイクルを増大させる。低デューティサイクルデバイス１０２は、受信デバイス１０２が通信同期を決定し、維持する、例えば送信機タイミングパラメータを使用するようにそれ自体を構成する、ように、別のデバイス１０２に同期信号を送信することによって、このようなオーバーヘッドを減少させることができる。このようなデバイスの一例は、電子デバイス１０２がより大きな電力あるいはバッテリリソースを、第２の電子デバイス１０２よりも、有するとき、受信デバイス１０２の受信機２２０は、同期信号を受信するように構成されることができる、したがって、第２の電子デバイス１０２でタイミング同期を維持する、減少された受信および送信オーバーヘッドから、全体的なパフォーマンスは、利益を得る。同期信号は、ビーコン信号を含むことができる。受信デバイス１０２は、第２の電子デバイスから受信された同期信号から通信されあるいは導き出される、タイミングおよび他の同期データに基づいて、第２の、例えば低デューティサイクル、デバイス１０２に、データを追加的に受信し、送信することができる。
【００４４】
図９は、図８の方法７００を使用して通信する、デバイス１０２の一例を図示するブロック図である。図示された例において、デバイス１０２は、第２の電子デバイス１０２のリソースを識別する情報を受信するために、手段あるいは集積回路（ＩＣ）７５２を備える。ＩＣ７５２は、図２および４の受信機２２０を備えることができる。デバイス１０２は、さらに、電子デバイス１０２のリソース情報と、第２の電子デバイス１０２の受信されたリソース情報を比較するために、手段あるいはＩＣ７５４を備える。ＩＣ７５４は、図２のプロセッサ２０２を備えることができる。さらに、ＩＣ７５２は、ＩＣ７５４によって実行される比較の後で、第２のデバイスから送信された同期信号を受信する手段を備えることができる。デバイス１０２は、さらに、電子デバイス１０２のリソース情報を送信するために、手段あるいはＩＣ（示されていない）を備えることができる。このような送信手段は、図２および３の送信機２２２を備えることができる。
【００４５】
図１０は、システム１００の例におけるような、データを通信する方法８００の一例を図示するフローチャートである。方法８００は、第１のデバイス１０２の受信機２２０、例えば図５のデバイス１０２ａ、が第２の電子デバイス１０２ｂのリソースを識別する情報を受信する、ブロック８０２で始まる。次にブロック８０４で、プロセッサ２０２（例、デバイス１０２ａの）は、第３の電子デバイス１０２ｃのリソース情報と、第２の電子デバイス１０２ｂの受信されたリソース情報を比較する。ブロック８０６に移って、プロセッサ２０４は、比較に基づいて第３の電子デバイス１０２ｃと同期するように、少なくとも１つのコンポーネントに命令する。(Moving to a block 806, the processor 204 of instructs at least one component to synchronize with the third electronic device 102c based on the comparison.)コンポーネントは、デバイス１０２ａあるいはデバイス１０２ｂの部分（例、プロセッサ２０２、受信機２０２、あるいは送信機２２２）を備えることができる。
【００４６】
図１１は、図１０の方法８００を使用して通信するデバイス１０２の例を図示する、ブロック図である。図示された例においては、デバイス１０２、例えば図５のデバイス１０２ａは、第２の電子デバイス１０２のリソースを識別する情報を受信するために、手段あるいは集積回路（ＩＣ）８１２を備えることができる。ＩＣ８１２は、図２および４の受信機２２０を備えることができる。デバイス１０２は、さらに、第３の電子デバイス１０２ｃのリソース情報と、第２の電子デバイス１０２ｂの受信されたリソース情報を比較するために、手段あるいはＩＣ８１４を備えることができる。ＩＣ８１４は、図２のプロセッサ２０２を備えることができる。デバイス１０２は、さらに、比較に基づいて、第３の電子デバイス１０２ｃと同期するように、少なくとも１つのコンポーネントに命令するために、手段あるいはＩＣ８１６を備える。コンポーネントは、デバイス１０２ａあるいはデバイス１０２ｂの部分（例、プロセッサ２０２、受信機２２０、あるいは送信機２２２）を備えることができる。命令手段は、プロセッサ２０２を備えることができ、オプションとして、図２および３の送信機２２２を備えることができる。
【００４７】
図１２は、システム１００におけるようなデータを通信する方法８２０の一例を図示するフローチャートである。方法８２０は、第１のデバイス１０２の送信機２２２、例えば図５のデバイス１０２ｂは、第１の電子デバイス１０２ｂから第２の電子デバイス１０２ａに、第１の電子デバイス１０２ｂの少なくとも１つのリソースを識別する情報を送信する、ブロック８２２で始まる。次に、ブロック８２４で、デバイス１０２ｂの受信機２２０は、第２の電子デバイス１０２ａから、第１の電子デバイス１０２ｂの送信されたリソース情報と、第３の電子デバイス１０２ｃのリソース情報を比較することに基づいて決定を示すデータを受信する。
【００４８】
図１３は、図１２の方法８２０を使用して通信するデバイス１０２の一例を図示するブロック図である。図示された例において、デバイス１０２、例えば図５のデバイス１０２ｂは、電子デバイス１０２ｂの少なくとも１つのリソースを識別する情報を、第２の電子デバイス１０２ａに送信するために、手段あるいは集積回路（ＩＣ）８３２を備える。ＩＣ８３２は、図２および３の送信機２２２を備えることができる。デバイス１０２は、さらに、第３の電子デバイス１０２ｃのリソース情報と、デバイス１０２ｂの送信されたリソース情報を比較することに基づいて、決定を示すデータを第２の電子デバイス１０２ａから受信するために、手段あるいはＩＣ８３４を備える。このような受信手段は、図２および４の受信機２２０を備えることができる。
【００４９】
上記を考慮して、本開示がデータをどのように通信するかを対処するということ、例えばＵＷＢシステム、を人は理解するであろう。例えば、図示された態様は、マルチホップ通信のより低いオーバーヘッド方法および装置を提供する。例えば、低デューティサイクルデバイスについての電力消費は、他のデバイスとの同期を受信し維持するためのオーバーヘッドを最小化することによって、減少されることができる。
【００５０】
ここに開示された態様に関連して説明されているいずれの説明の論理ブロック、モジュール、および回路は、集積回路（「ＩＣ」）、アクセス端末あるいはアクセスポイント内でインプリメントされることができる、あるいは、集積回路、アクセス端末あるいはアクセスポイントによって実行されることができる。ＩＣは、汎用プロセッサ、デジタル信号プロセッサ（ＤＳＰ）、特定用途向け集積回路（ＡＳＩＣ）、フィールドプログラマブルゲートアレイ（ＦＰＧＡ）あるいは他のプログラマブル論理コンポーネント、ディスクリートゲートあるいはトランジスタロジック、ディスクリートハードウェアコンポーネント、電子コンポーネント、光学コンポーネント、機械コンポーネント、あるいはここに説明されている機能を実行するように設計されたそれらのいずれの組み合わせを備えることができ、そして、ＩＣ内で、ＩＣの外で、あるいは両方に常駐する、コードあるいはインストラクションを実施することができる。汎用プロセッサは、マイクロプロセッサであってもよいし、しかし、代替として、プロセッサは、任意の従来のプロセッサ、コントローラ、マイクロコントローラあるいはステートマシンであってもよい。プロセッサは、さらに、コンピューティングデバイスの組み合わせ、例えばＤＳＰとマイクロプロセッサの組み合わせ、複数のマイクロプロセッサ、ＤＳＰコアと併用しての１つ以上のマイクロプロセッサ、あるいはいずれの他のそのような構成のもの、としてインプリメントされてもよい。
【００５１】
当業者は、様々な説明のための論理ブロック、モジュール、回路、および、ここに開示された態様に関連して説明されたアルゴリズムステップは、電子ハードウェア、コンピュータソフトウェアあるいは両方の組合せとしてインプリメントされることができる、ということをさらに理解するであろう。ハードウェアとソフトウェアのこの互換性を明瞭に説明するために、様々な説明のためのコンポーネント、ブロック、モジュール、回路およびステップが、一般に、それらの機能性という観点から、上記に説明されてきた。そのような機能性が、ハードウェアあるいはソフトウェアとしてインプリメントされるかどうかは、特定のアプリケーションと全体のシステムに課された設計制約(design constraints)に依存する。熟練職人は、各特定のアプリケーションについての様々な方法で、説明された機能性をインプリメントすることができるが、そのようなインプリメンテーションの決定は、本発明の範囲からの逸脱を生じさせるものとして解釈されるべきでない。
【００５２】
ここに開示された態様に関連して説明された方法あるいはアルゴリズムのステップは、ハードウェアにおいて、プロセッサによって実行されたソフトウェアモジュールにおいて、あるいはこれら２つの組み合わせにおいて、直接的に具現化されることができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭあるいは当技術分野において知られている記憶メディアのいずれの他の形態において常駐することができる。例示的な記憶メディアは、プロセッサが記憶メディアから情報を読み取ることができ、また記憶メディアに情報を書き込むことができるように、プロセッサに結合される。別の方法では、記憶メディアは、プロセッサと一体化していてもよい。プロセッサと記憶メディアは、ＡＳＩＣにおいて常駐していてもよい。ＡＳＩＣは、ユーザ端末に常駐していてもよい。あるいは、プロセッサと記憶メディアは、ユーザ端末においてディスクリートコンポーネントとして常駐することができる。
【００５３】
上記の詳細な説明が、様々な態様に適用されるような本発明の新規な特徴を示し、説明し、そして指摘してきたけれども、本開示の範囲から逸脱することなく、図示されるデバイスあるいはプロセスの詳細および形態における様々な省略、代用、および変更が当業者によってなされるということは理解されるであろう。認識されるように、本発明は、いくつかの特徴が他と離れて使用されるあるいは実行されることができるように、ここに上述されるすべての特徴および利益を提供しない形式内で具現化されることができる。本開示の範囲は、添付された特許請求の範囲、前述の説明、あるいは両方によって、定義される。特許請求の範囲の均等(equivalency)の意味および範囲の中に入るすべての変更は、それらの範囲内に包含されるべきである。
【図面の簡単な説明】
【００５４】
【図１】図１は、無線で接続された複数デバイスのシステムの一例を図示するブロック図である。
【図２】図２は、図１で図示されるような無線デバイスの一例を図示するブロック図である。
【図３】図３は、図２で図示されるようなデバイスの送信機を図示するブロック図である。
【図４】図４は、図２で図示されるようなデバイスの受信機を図示するブロック図である。
【図５】図５は、無線接続された複数デバイスのシステムの別の例を図示するブロック図である。
【図６】図６は、図１で図示されるようなシステムの一例におけるような、データを通信する方法の一例を図示するフローチャートである。
【図７】図７は、図６で図示されるような方法を使用して、データを送信するデバイスの一例を図示するブロック図である。
【図８】図８は、図１で図示されるような、システムの一例においてのようなデータを通信する方法の別の例を図示するフローチャートである。
【図９】図９は、図８で図示されるような方法を使用して、データを送信するデバイスの一例を図示するブロック図である。
【図１０】図１０は、図１で図示されるようなシステムの一例においてのようなデータを通信する方法の別の例を図示するフローチャートである。
【図１１】図１１は、図１０で図示されるような方法を使用して、データを送信するデバイスの一例を図示するブロック図である。
【図１２】図１２は、図１で図示されるようなシステムの一例においてのようなデータを通信する方法の別の一例を図示するフローチャートである。
【図１３】図１３は、図１２で図示されるような方法を使用して、データを送信するデバイスの一例を図示するブロック図である。
【図１】
2009535934.tif 000003
【図２】
2009535934.tif 000004
【図３】
2009535934.tif 000005
【図４】
2009535934.tif 000006
【図５】
2009535934.tif 000007
【図６】
2009535934.tif 000008
【図７】
2009535934.tif 000009
【図８】
2009535934.tif 000010
【図９】
2009535934.tif 000011
【図１０】
2009535934.tif 000012
【図１１】
2009535934.tif 000013
【図１２】
2009535934.tif 000014
【図１３】
2009535934.tif 000015
【国際調査報告】
2009535934.tif 000016
2009535934.tif 000017
2009535934.tif 000018